(57)【要約】【課題】顧客等に意識させることなく木質建材の色目を管理することにより、追加注文における色合せを実現でき、しかも、複数の色目の木質建材を万遍なく提示することができる木質建材の受発注支援システムを提供する。【解決手段】サーバー２は、木質建材を出荷した際、発注者に通知される出荷情報を、木質建材の色目に関する色目情報に関連付けて記憶する色合せデータベース１６と、出荷番号２０を含む、木質建材の追加注文情報が発注側端末装置から入力されると、色合せデータベース１６から出荷番号２０に対応する色目情報２２を抽出することにより、木質建材の色目を特定する色目特定手段２６と、特定された色目の木質建材を、追加注文された木質建材として受注処理する受注処理手段２７とを具備する。【選択図】        図２
2004341816.tif 000002
【特許請求の範囲】
【請求項１】
複数の色目に区分される木質建材を、発注側端末装置から通信ネットワークを介してサーバーに発注することが可能な木質建材の受発注支援システムであって、
前記サーバーは、
木質建材を出荷した際、発注者に通知される出荷情報を、前記木質建材の色目に関する色目情報に関連付けて記憶する情報記憶手段と、
前記出荷情報を含む、前記木質建材の追加注文情報が前記発注側端末装置から入力されると、前記情報記憶手段から前記出荷情報に対応する前記色目情報を抽出することにより、木質建材の色目を特定する色目特定手段と、
該色目特定手段によって特定された色目の木質建材を、追加注文された木質建材として受注処理する受注処理手段と
を具備することを特徴とする木質建材の受発注支援システム。
【請求項２】
前記出荷情報には、少なくとも前記木質建材を出荷する際に付与される出荷番号が含まれていることを特徴とする請求項１に記載の木質建材の受発注支援システム。
【請求項３】
複数の色目に区分される木質建材を、発注側端末装置から通信ネットワークを介してサーバーに発注することが可能な木質建材の受発注支援システムにおいて使用される受発注支援プログラムであって、
木質建材を出荷した際、発注者に通知される出荷情報を、前記木質建材の色目に関する色目情報に関連付けて記憶する情報記憶手段、
前記出荷情報を含む、前記木質建材の追加注文情報が前記発注側端末装置から入力されると、前記情報記憶手段から前記出荷情報に対応する前記色目情報を抽出することにより、木質建材の色目を特定する色目特定手段、
及び該色目特定手段によって特定された色目の木質建材を、追加注文された木質建材として受注処理する受注処理手段
として、前記サーバーを機能させることを特徴とする受発注支援プログラム。
【発明の詳細な説明】
【０００１】
【発明の属する技術分野】
本発明は、木質建材の受発注支援システム、及び受発注支援プログラムに関するものであり、特に、建造物の玄関や縁側の床等に用いられる木質建材を、通信ネットワークを介して受発注するための受発注支援システム、及びそのシステムに係るプログラムに関するものである。
【０００２】
【従来の技術】
建造物に、床板等の木質建材を使用する場合、多品種の木材の中から、所望の木材が選択される。ところが、同じ品種の木質建材であっても、赤みを帯びた色目もあれば白みを帯びた色目もある。そこで、木質建材を出荷する工場では、原木毎に生産ロット管理を行うとともに連番管理を実施し、色目の均一なものを一括管理することにより、同一の新築現場には、同一の色目の木質建材が出荷されるように管理している。
【０００３】
ところで、建築現場では、所定の木質建材が不足となったり余ったりする場合がある。そして、木質建材が足りなくなった場合には追加注文がなされる。一方、木質建材が余った場合には、他の建築現場で流用されることもあり、この際には、他の建築現場における木質建材（すなわち不足分）が追加注文として発注される。ところが、追加注文の場合、建造物全体において色目のバランスがとれるように、購入済みの木質建材と追加分の木質建材との色目を互いに一致させる必要がある。このため、受発注処理が複雑になるとともに、施工業者等の手間が大きくなっていた。木質建材のカタログには、「この木質建材は天然銘木を使用しているため、色目に多少のバラツキがありますので、施工前に色合せをして下さい」とうたわれている。これは、施工前に木質建材を床等に並べて色のバランスがとれているか否かを施工業者（例えば大工さん）に確認してもらうためである。
【０００４】
なお、色目を管理できるように、色目を示す色目コードを設定し、そのコード及び色目をカタログに記載することが考えられている。これによれば、追加注文の際、以前に購入した木質建材の色目コードと同一のコードを指定することにより、同じ色目の木質建材を出荷することが可能になる。しかしながら、大半の出荷は一括で行われ追加されることがないにも拘わらず、色目コードを意識して管理させることになるため、管理が煩雑になるとともに、製造業社及び流通業者等の作業負担が大きくなる。また、木質建材の原料は天然素材であることから、例えば、山の南側で育った松から北側で育った松に原木が次第に代わる場合には、それによって色目が次第に変化し、カタログに表示された色目と一致しなくなる。しかも、所定の色目に対して顧客の好みが集中した場合には、原木の入手が困難になり納期が遅れることも懸念される。したがって、比較的大規模の工場では、この方式による管理を実践することは極めて困難である。
【０００５】
また、他のシステムとして、標準となる色目を予め設定しておき、標準色目の木質建材が欠品のときは、色目の異なる代替品を提示するようにしたシステムが提案されている。つまり、納期の早い代替品を、「お届可能な代替品」として提示するものである。これによれば、標準色目をカタログに表示しても、カタログにおける色目と現品とのズレを最小限に抑えることができ、また、顧客に色目の変更を了解させた上で代替品が出荷されるため、顧客の不満はそれほど大きくならない。
【０００６】
以上の従来技術は、当業者において当然として行われているものであり、出願人は、この従来技術が記載された文献を知見していない。
【０００７】
【発明が解決しようとする課題】
しかし、上記のシステムでは、基本色を中心とした受発注方式を採用しているため、基本色に適合した原木が大量に必要となるが、同一の原木の供給は永久的に続くことはないため、基本色を次第に変更せざるを得ない。そして、例えば、基本色の代替品を出荷した直後に、基本色が変更になった場合には、代替品に対して追加注文を行うことが困難になる。なぜなら、代替品は基本色のみに関連付けられており、代替品の代替については定義されていないことから、追加注文に対して処理することができないためである。
【０００８】
そこで、本発明は、上記の実情に鑑み、顧客等に意識させることなく木質建材の色目を管理することにより、追加注文における色合せを実現でき、しかも、複数の色目の木質建材を万遍なく提示することができる木質建材の受発注支援システム、及びそのプログラムの提供を課題とするものである。
【０００９】
【課題を解決するための手段】
請求項１の発明にかかる木質建材の受発注支援システムは、複数の色目に区分される木質建材を、発注側端末装置から通信ネットワークを介してサーバーに発注することが可能な木質建材の受発注支援システムであって、前記サーバーは、木質建材を出荷した際、発注者に通知される出荷情報を、前記木質建材の色目に関する色目情報に関連付けて記憶する情報記憶手段と、前記出荷情報を含む、前記木質建材の追加注文情報が前記発注側端末装置から入力されると、前記情報記憶手段から前記出荷情報に対応する前記色目情報を抽出することにより、木質建材の色目を特定する色目特定手段と、該色目特定手段によって特定された色目の木質建材を、追加注文された木質建材として受注処理する受注処理手段とを具備するものである。
【００１０】
ここで、「木質建材」とは、建造物の材料として使用される木材であり、床、壁、天井、階段、及び収納庫等に用いられるものである。なお、大きさや形状等は特に限定されるものではない。また、情報記憶手段には、「色目情報」として色目自体を記憶させるようにしてもよいが、各色目を識別番号と対応させ、その識別番号を情報記憶手段に記憶させるようにしてもよい。
【００１１】
したがって、請求項１の発明の木質建材の受発注支援システムによれば、サーバーは、木質建材を出荷した際、出荷に関する出荷情報を、木質建材の色目情報に関連付けて記憶する。なお、出荷情報は、通信ネットワークを介して、或いは出荷伝票によって発注者（顧客）に伝えられるものである。すなわち、出荷情報は、以前に出荷された木質建材に関する情報として認識されるものである。サーバーは、発注側端末装置から、出荷情報を含む木質建材の追加注文情報が入力されると、出荷情報に対応する色目情報を情報記憶手段から抽出する。すなわち、以前に出荷された木質建材の色目を認識して特定する。そして、特定された色目の木質建材を、追加注文された木質建材として受注処理する。これにより、以前に出荷された木質建材の色目と同じ色目の木質建材を出荷するための各種処理が実行されることになる。
【００１２】
このように、色目に関する色目情報は、サーバーのみによって管理される隠れ情報となり、発注者や流通業者に意識させることなく管理される。このため、発注者に負担をかけることなく、色合せが可能になる。特に、発注者に色目情報を意識させないため、通常の出荷に関しては、原木の生産状況や工場内での品揃え等に応じて色目を設定することが可能になる。
【００１３】
請求項２の発明にかかる木質建材の受発注支援システムは、請求項１に記載の木質建材の受発注支援システムにおいて、前記出荷情報には、少なくとも前記木質建材を出荷する際に付与される出荷番号が含まれているものである。
【００１４】
したがって、請求項２の発明の木質建材の受発注支援システムによれば、請求項１の発明の作用に加え、出荷情報として、既存の出荷番号が利用されるため、管理を複雑にすることなく実現できる。また、異なる建築現場に対して同一の番号が付与されることがないため、一つの出荷情報に対して一つの色目情報を対応させることができる。
【００１５】
請求項３の発明にかかる受発注支援プログラムは、複数の色目に区分される木質建材を、発注側端末装置から通信ネットワークを介してサーバーに発注することが可能な木質建材の受発注支援システムにおいて使用される受発注支援プログラムであって、木質建材を出荷した際、発注者に通知される出荷情報を、前記木質建材の色目に関する色目情報に関連付けて記憶する情報記憶手段、前記出荷情報を含む、前記木質建材の追加注文情報が前記発注側端末装置から入力されると、前記情報記憶手段から前記出荷情報に対応する前記色目情報を抽出することにより、木質建材の色目を特定する色目特定手段、及び該色目特定手段によって特定された色目の木質建材を、追加注文された木質建材として受注処理する受注処理手段として、前記サーバーを機能させるものである。
【００１６】
したがって、請求項３の発明の受発注支援プログラムによれば、サーバーにおいて実行させることにより、木質建材の色合せを発注者に意識させることなく実現することができる。なお、具体的な処理については、請求項１の作用と同様であるため、ここでは詳細な説明を省略する。
【００１７】
【発明の実施の形態】
以下、本発明の一実施形態である木質建材の受発注支援システム１（以下、受発注支援システム１と称す）について、図１乃至図４に基づき説明する。図１は受発注支援システム１全体の構成を示す説明図であり、図２は受発注支援システム１におけるサーバーの機能的構成を示すブロック図であり、図３は受発注支援システム１における発注側端末装置の機能的構成を示すブロック図であり、図４はサーバーにおける処理の流れを示すフローチャートである。
【００１８】
本実施形態の受発注支援システム１は、建造物の床、壁、または天井等を構築するために必要とされる木質建材を、ネットワーク３を介して発注することが可能なシステムである。なお、夫々の木質建材は、品種（木の種類）、大きさ、及び色目等に基づいて区分されている。
【００１９】
受発注支援システム１は、図１に示すように、主な構成として、サーバー２と、このサーバー２にネットワーク３（インターネット等）を介して接続された複数の発注側端末装置４とを備えている。なお、サーバー２は受注者５によって管理され、発注側端末装置４は発注者６（建築業者や工務店）が利用可能な状態に設けられている。また、ネットワーク３には、メーカー７が使用する製造側端末装置８が接続されている。つまり、製造側端末装置８によって受注内容を確認し、発注者６に木質建材９を出荷することを可能にしている。
【００２０】
サーバー２は、発注側端末装置４からの指示を、ネットワーク３を介して受信し、これらの指示に応じた処理を行うものである。ハード構成としては、汎用のコンピュータと同様、主記憶装置、演算装置、及び制御装置から構成される中央処理装置と、キーボードやポインティングデバイス等、情報を直接入力するための入力装置と、サーバー２の中で処理された情報を取出すディスプレイ等の出力装置と、ネットワーク３を介してデータの送受信を行うモデム等の通信手段と、ハードディスク等から構成された記憶装置１１とを備えている。なお、通信手段は、図２に示すように、発注側端末装置４からデータを受信する受信手段１２、及び発注側端末装置４にデータを送信する送信手段１３を有する通信制御手段１４によって制御されるようになっている。
【００２１】
また、記憶装置１１には、色合せデータベース１６、商品データベース１７及び在庫データベース１８が構築されるとともに、注文情報１９が記憶されている。色合せデータベース１６には、木質建材９を出荷した際に付与される出荷番号２０、及び木質建材９の品種２１が、木質建材９の色目に関する色目情報２２に関連付けて記憶されるようになっている。ここで、出荷番号２０は、出荷日と出荷伝票の番号とを組合せて数値化したものであり、例えば、出荷日が２００３年２月３日で、出荷伝票の番号が「０００１」の場合には、出荷番号は、「２００３０２０３０００１」となる。つまり、出荷番号は、出荷毎に異なるように設定されている。また、品種２１は、木の種類（例えば松、杉、檜）を示すものであるが、これに加え、産地や商標等を付するようにしてもよい。色目情報２２は、白みを帯びた色、及び赤みを帯びた色等、色見本に基づいて設定された複数の色目のうち、どの色目に類似するかを示す情報であり、本例では、三つの色目に区分されている。なお、色合せデータベース１６には、色目に対応する識別番号（１，２，３）が、色目情報２２として記憶されるようになっている。また、出荷番号２０及び品種２１は、木質建材９を出荷する際、出荷伝票に記載されることにより発注者６に通知され、一方、色目情報２２は通知されることなく、サーバー２のみによって管理される。ここで、出荷番号２０及び品種２１を組合せたものが、本発明の出荷情報に相当し、色合せデータベース１６が本発明の情報記憶手段に相当する。
【００２２】
商品データベース１７には、商品名、商品コード、商品の構成要素、価格、及び図面等を含む商品情報が記憶されており、発注側端末装置４への情報の提示を可能にしている。在庫データベース１８には、商品コード及び在庫の数量等含む在庫情報と、生産予定日、生産数、及び生産場所を含む生産情報とが記憶されており、木質建材９の納品スケジュールを作成するための基本データとして用いられる。注文情報１９は、木質建材９の受発注に関する情報であり、発注者６の氏名、住所、購入商品名、数量、及び納品希望日等を含んでいる。
【００２３】
ところで、このサーバー２には、受発注支援プログラムがインストールされており、このプログラムを実行させることにより、以下に示す機能的構成を有するものになる。
【００２４】
すなわち、図２に示すように、サーバー２は、発注側端末装置４から送信される注文情報１９を認識する注文情報認識手段２４と、認識された注文情報１９を基に木質建材９の色目を特定する色目特定手段２６と、特定された色目の木質建材９を、注文された木質建材９として受注処理する受注処理手段２７とを備えている。詳しく説明すると、注文情報認識手段２４は、発注側端末装置４において、商品名、商品コード等の注文情報が入力されると、ネットワーク３を介して受信することにより認識するものであり、認識した注文情報を記憶装置１１に記憶するとともに、色目特定手段２６に出力する。また、注文情報認識手段２４は、追加注文認識手段２５を有しており、発注側端末装置４において、出荷番号２０及び品種２１を含む追加注文情報が入力されると、それを通常の注文情報とは区別して認識する。なお、追加注文とは、一つの建築現場において、所定の木質建材９が足りなくなった場合等、既に購入した木質建材９と同一の色目の木質建材９を新たに注文する場合に行われる行為である。
【００２５】
色目特定手段２６は、注文情報認識手段２４によって認識された注文情報または追加注文情報を基に木質建材９の色目を特定する。この際、認識された注文情報が通常の注文である場合と、追加注文である場合とで、色目の特定の仕方が異なるようになっている。通常の注文の場合には、在庫データベース１８に記憶された情報、すなわち在庫情報や生産情報等に応じて色目を特定する。つまり、発注者６の要望に拘わらず、原木の生産状況や工場内での品揃えに応じて適切な色目を特定する。一方、追加注文の場合には、追加注文情報に含まれる出荷番号２０及び品種２１に対応する色目情報２２を色合せデータベース１６から抽出することにより特定する。すなわち、以前に出荷した木質建材９の色目を認識することにより色目を特定する。
【００２６】
受注処理手段２７は、色目特定手段２６によって特定された色目の木質建材９を、注文または追加注文された木質建材９として受注処理する。なお、受注処理とは、木質建材９を出荷させるための各種処理、例えば、在庫に対する木質建材９の引当て及び配送の手配、あるいは木質建材９の製造等を実行させるための処理である。なお、木質建材９を出荷させるための各種処理は、ネットワーク３に接続された製造側端末装置８によって行われるようにしてもよく、作業者等によって行われるようにしてもよい。また、木質建材９を出荷する際には、出荷番号２０が付与され、出荷番号２０は、色目情報２２と関連付けられ色合せデータベース１６に記憶される。
【００２７】
また、サーバー２は、木質建材９の納期を設定する納期設定手段２９と、設定された納期及び出荷に関する情報を発注側端末装置４に送信する出荷情報出力手段２８とを備えている。なお、納期設定手段２９は、注文情報認識手段２４によって認識された注文情報１９と、記憶装置１１に構築された在庫データベース１８とから木質建材９の納品が可能な納品予定日を決定する。
【００２８】
一方、発注側端末装置４は、ブラウザソフトがインストールされた汎用のコンピュータであり、主記憶装置、演算装置、及び制御装置から構成される中央処理装置と、ネットワーク３を介してデータを送受信する通信装置とを備えている。なお、図３に示すように、通信装置は、受信手段３１及び送信手段３２を有する通信制御手段３３によって制御される。また、発注側端末装置４には、キーボードやポインティングデバイス等の入力装置３４と、ディスプレイ３６を制御する表示制御手段３５とが設けられている。
【００２９】
さらに、発注側端末装置４は、機能的構成として、入力装置３４の操作によって、通常の発注情報を入力するための発注指示手段３７と、追加発注情報を入力するための追加発注指示手段３８とを備えている。
【００３０】
次に、本実施形態の受発注支援システム１の動作、特にサーバー２の処理（本発明の受発注支援プログラムに相当）について、図４に基づき説明する。まず、サーバー２は、いずれかの発注側端末装置４からアクセスがあり（ステップＳ１においてＹＥＳ）、さらに、注文情報が入力されると（ステップＳ２においてＹＥＳ）、ステップＳ３の処理を実行する。
【００３１】
ステップＳ３では、注文の形態が、通常の注文か、追加注文かを判断する。つまり、木質建材９に関し、色合せが必要でない通常の注文と、色合せが必要な追加注文とを区別する。そして、通常の注文の場合には（ステップＳ３においてＹＥＳ）、在庫データベース１８を基に色目を特定し（ステップＳ４）、一方、追加注文の場合には（ステップＳ３においてＮＯ）、色合せデータベース１６を基に色目を特定する（ステップＳ５）。
【００３２】
その後、前述した受注処理を実行するとともに（ステップＳ６）、木質建材９の納期を設定し（ステップＳ７）、納期を含む出荷情報を発注側端末装置４に送信する（ステップＳ８）。これにより、発注者６に納期等、出荷に関する情報を認識させることができる。
【００３３】
このように、上記の受発注支援システム１では、サーバー２において色目情報２２を管理するため、追加注文における色目合わせを容易に且つ確実に行うことができる。このため、施工業者等の負担を軽減できるとともに、木質建材９の流通を円滑に行うことが可能になる。特に、色目情報２２は、隠れ情報として発注者６に意識させることなく管理されるため、通常の注文では、原木の生産状況や工場内での品揃え等に応じて色目を設定することができ、複数の色目の木質建材９を万遍なく提示することが可能になる。このため、納期の遅れや代替品への変更を抑制でき、発注者６の利便性を向上させることができる。
【００３４】
また、上記の受発注支援システム１では、出荷情報として既存の出荷番号２０と品種２１とを利用しているため、情報の管理が複雑にならず、しかも色合せデータベース１６の容量を低く抑えることができる。特に、出荷番号２０及び品種２１は、出荷伝票に記載されることから、追加注文の際、これらの情報を比較的容易に把握させることができる。また、出荷番号２０だけでなく品種２１も追加注文情報として入力されるため、入力された品種２１と、色合せデータベース１６に記憶された品種２１とが一致するか否かを判断することにより、出荷番号２０の入力ミスを検出することが可能となる。
【００３５】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３６】
すなわち、本実施形態の受発注支援システム１では、通常の注文の際、記憶装置１１に記憶された在庫データベース１８に基づいて、適切な色目を特定するものを示したが、原木の生産状況は予め把握可能であり、それが変更される可能性も稀であることから、予め所定の色目に設定するようにしてもよい。このようにすれば、通常の注文の際の処理が一層容易になる。
【００３７】
また、本実施形態の受発注支援システム１では、発注側端末装置として、汎用のコンピュータを用いるものを示したが、発注側端末装置は、ネットワーク３を介してサーバー２にアクセスできるものであればよく、例えば携帯電話等を利用することも可能である。
【００３８】
【発明の効果】
以上のように、本発明の木質建材の受発注支援システムは、色目情報をサーバーにおいて管理するため、追加注文における色目合わせを容易に且つ確実に行うことができる。このため、施工業者等の負担を軽減できるとともに、木質建材の流通を円滑に行うことが可能になる。また、色目情報は、隠れ情報として発注者に意識させることなく管理されるため、製造業者の都合に合せて設定することが可能になり、例えば複数の色目の木質建材を万遍なく提示することも可能になる。
【図面の簡単な説明】
【図１】本発明の一実施形態である受発注支援システムの構成を示す説明図である。
【図２】受発注支援システムにおけるサーバーの機能的構成を示すブロック図である。
【図３】受発注支援システムにおける発注側端末装置の機能的構成を示すブロック図である。
【図４】サーバーにおける処理の流れを示すフローチャートである。
【符号の説明】
１  受発注支援システム（木質建材の受発注支援システム）
２  サーバー
３  ネットワーク（通信ネットワーク）
４  発注側端末装置
９  木質建材
１６  色合せデータベース（情報記憶手段）
１９  注文情報（追加注文情報）
２０  出荷番号（出荷情報）
２１  品種（出荷情報）
２２  色目情報
２６  色目特定手段
２７  受注処理手段
【図１】
2004341816.tif 000003
【図２】
2004341816.tif 000004
【図３】
2004341816.tif 000005
【図４】
2004341816.tif 000006